(57)【特許請求の範囲】
【請求項１】
圧縮機、室外熱交換器、複数の室内機に設置された室内熱交換器、前記複数の室内機に接続される電子膨張弁、を冷媒配管によって接続した冷凍サイクル部と、前記電子膨張弁の開度を調整する室外制御部と、を有し、
前記電子膨張弁は、
内側周縁部を有する円筒状の弁座と、
先端側において前記内側周縁部との間に流路を形成するニードル部と、を有し、
前記ニードル部は、
該ニードル部の軸方向に対してテーパー角を有するテーパー部を有し、
前記テーパー部は、
前記ニードル部の前記先端側から順に前記テーパー角が最も大きい最大テーパー角部と、前記最大テーパー角部よりも前記テーパー角が小さい最小テーパー角部と、を含み、
前記複数の室内機は、
能力が最も大きい大能力室内機と、前記大能力室内機よりも能力が小さい小能力室内機と、を含み、
前記室外制御部は、
前記大能力室内機を、前記電子膨張弁の前記最大テーパー角部と前記内側周縁部とにより前記流路が形成された状態で運転し、前記小能力室内機を、前記電子膨張弁の前記最小テーパー角部と前記内側周縁部とにより前記流路が形成された状態で運転する空気調和機。
【発明の詳細な説明】
【技術分野】
【０００１】
本発明は、複数の流量特性を有する空気調和機に関する。
【背景技術】
【０００２】
従来の空気調和機の電子膨張弁として、２つの絞り部を有しており、得られる流量特性は電子膨張弁の開度に対し、原則としてリニアに変化させるものがある（例えば、特許文献１参照）。
【先行技術文献】
【特許文献】
【０００３】
【特許文献１】特開２００６−２６６６６７号公報（第１図）
【発明の概要】
【発明が解決しようとする課題】
【０００４】
しかしながら、従来の空気調和機の電子膨張弁では、２つの絞り部を有しているが、得られる流量は、基本的に電子膨張弁の開度に対しリニアに変化するため、所定の範囲の流量について制御することしかできず、これによって限られた容量の室内機の冷媒流量しか制御できないという問題点があった。
【０００５】
例えば、大容量室内機に対応した電子膨張弁を小容量帯の室内機に対応させた場合、容量的には十分に対応できるものの、開度変化に対する流量変化が大きく、きめ細かな制御ができないため、運転中の冷凍サイクルにおける冷媒流量が大きくハンチングし、冷媒音及び吹出し温度の変化を生じさせ、ユーザーに不快感を与える可能性があるという問題点があった。
【０００６】
また、逆に、小容量室内機に対応した電子膨張弁を大容量帯の室内機に対応させた場合、大容量室内機に必要な冷媒流量が得られず、十分な能力を発揮できないという問題点があった。
【０００７】
このように従来の電子膨張弁を多室形空気調和機に使用した場合、様々な能力クラスの室内機を接続することができず、仮に、それに対応した場合も、Ａポートは大容量室内機用、そして、Ｂポートは小容量室内機用と特定するしかなく、その自由度は極めて小さく、製品能力を大幅に低下させてしまう問題があった。
【０００８】
本発明は、上記のような課題を解決するためになされたもので、第１の目的は、様々な容量の空気調和機に対応することができる冷媒流量に調整が可能な電子膨張弁を得ることである。
また、第２の目的は、冷凍サイクルの急激な変化を起こすことなく、冷媒流量をきめ細かく制御可能とする空気調和機を得ることである。
そして、第３の目的は、様々な容量の空気調和機に対応することができる電子膨張弁を備えることによって、複数の室内機の容量にそれぞれに対応した電子膨張弁ではなく、同一の構成を有する電子膨張弁を利用することができる空気調和機を得ることである。
【課題を解決するための手段】
【０００９】
本発明に係る空気調和機は、圧縮機、室外熱交換器、複数の室内機に設置された室内熱交換器、前記複数の室内機に接続される電子膨張弁、を冷媒配管によって接続した冷凍サイクル部と、前記電子膨張弁の開度を調整する室外制御部と、を有し、前記電子膨張弁は、内側周縁部を有する円筒状の弁座と、先端側において前記内側周縁部との間に流路を形成するニードル部と、を有し、前記ニードル部は、該ニードル部の軸方向に対してテーパー角を有するテーパー部を有し、前記テーパー部は、前記ニードル部の前記先端側から順に前記テーパー角が最も大きい最大テーパー角部と、前記最大テーパー角部よりも前記テーパー角が小さい最小テーパー角部と、を含み、前記複数の室内機は、能力が最も大きい大能力室内機と、前記大能力室内機よりも能力が小さい小能力室内機と、を含み、前記室外制御部は、前記大能力室内機を、前記電子膨張弁の前記最大テーパー角部と前記内側周縁部とにより前記流路が形成された状態で運転し、前記小能力室内機を、前記電子膨張弁の前記最小テーパー角部と前記内側周縁部とにより前記流路が形成された状態で運転するものである。
【発明の効果】
【００１０】
本発明によれば、接続される冷凍サイクルの能力クラスに応じて、電子膨張弁の開度、すなわち、流量を制御可能とし、その冷凍サイクルの能力に対応した冷媒流量に調整することができるので、冷凍サイクルは適正な能力を発揮でき、かつ、効率の良い運転が実現できる。
【図面の簡単な説明】
【００１１】
【図１】本発明の実施の形態１に係る空気調和機の冷媒回路図である。
【図２】本発明の実施の形態１に係る電子膨張弁４ａ〜４ｄの構成図である。
【図３】本発明の実施の形態１に係る電子膨張弁４ａ〜４ｄに対する操作量（パルス）とその操作量によって定まる開度における流量比との関係を示すグラフである。
【図４】本発明の実施の形態２に係る空気調和機の電子膨張弁４ａ〜４ｄに対する操作量（パルス）によって流量を変化させる動作のフローチャートの具体例を示すものである。
【図５】本発明の実施の形態２に係る空気調和機の電子膨張弁４ａ〜４ｄに対する操作量（パルス）とその操作量によって定まる開度における流量比との関係を示すグラフと共に、要求パルスを他のパルスに変換する動作を示す図である。
【発明を実施するための形態】
【００１２】
実施の形態１．
（空気調和機の構成）
図１は、本発明の実施の形態１に係る空気調和機の冷媒回路図である。
図１で示されるように、本実施の形態に係る空気調和機は、少なくとも、圧縮機１、四方弁２、室外熱交換器３、電子膨張弁４ａ〜４ｄ、室内熱交換器５ａ〜５ｄを備えており、圧縮機１、四方弁２、室外熱交換器３、電子膨張弁４ａ〜４ｄ、室内熱交換器５ａ〜５ｄ、四方弁２、そして、圧縮機１という順で冷媒配管によって接続され冷凍サイクルを構成している。また、本実施の形態に係る空気調和機は、前述の圧縮機１、四方弁２及び電子膨張弁４ａ〜４ｄ等の動作を制御する室外制御部６を備えている。
【００１３】
圧縮機１は、室外制御部６からの指令に基づく回転数によって回転駆動し、流入するガス冷媒を圧縮して高温高圧のガス冷媒を吐出するものである。
【００１４】
四方弁２は、暖房運転又は冷房運転に対応して、冷媒の流路を切り替えるものである。
【００１５】
室外熱交換器３は、流入した冷媒を外気と熱交換させるものである。冷房運転の場合、室外熱交換器３は、凝縮器として機能し、流入した高温高圧のガス冷媒を外気と熱交換させて凝縮させ、高圧の液冷媒として流出させる。一方、暖房運転の場合、室外熱交換器３は、蒸発器として機能し、流入した低圧の二相冷媒を外気と熱交換させて蒸発させ、低圧のガス冷媒として流出させる。
【００１６】
電子膨張弁４ａ〜４ｄは、室外制御部６からの指令に基づいて開度を調整することによって、冷媒の流量を制御するものである。電子膨張弁４ａ〜４ｄの構成の詳細については図２において後述する。
【００１７】
室内熱交換器５ａ〜５ｄは、それぞれ室内機１０ａ〜１０ｄに備えられているものであり、流入した冷媒を室内空気と熱交換させるものである。冷房運転の場合、室内熱交換器５ａ〜５ｄは、蒸発器として機能し、流入した低圧の二相冷媒を室内空気と熱交換させて蒸発させ、低圧のガス冷媒として流出させる。一方、暖房運転の場合、室内熱交換器５ａ〜５ｄは、凝縮器として機能し、流入した高温高圧のガス冷媒を室内空気と熱交換させて凝縮させ、高圧の液冷媒として流出させる。
【００１８】
室外制御部６は、前述のように、圧縮機１、四方弁２及び電子膨張弁４ａ〜４ｄ等の動作を制御するものであり、特に、後述するように、電子膨張弁４ａ〜４ｄの開度調整の制御については、室内機からの要求パルス（要求操作量）に基づいて制御する。
【００１９】
（電子膨張弁４ａ〜４ｄの構成）
図２は、本発明の実施の形態１に係る電子膨張弁４ａ〜４ｄの構成図である。
図２で示されるように、電子膨張弁４ａ〜４ｄは、電子膨張弁ニードル部７、及び、この電子膨張弁ニードル部７の先端との隙間を形成する弁座８を備えている。
【００２０】
電子膨張弁ニードル部７は、その先端部分に、ニードル最小テーパー角（θ３）部７ａ、ニードル中間テーパー角（θ２）部７ｂ、及び、ニードル最大テーパー角（θ１）部７ｃを有し、それぞれテーパー角が異なる三段構造となっている。ここで、テーパー角とは、電子膨張弁ニードル部７の軸方向に対するテーパー部の面の角度をいうものとする。それぞれのテーパー角部は、テーパー角がθ３＞θ２＞θ１の関係となるように形成されている。これらのテーパー角部と弁座８の内側周縁部によって、流路９が形成されている。この流路９を流れる流量は、弁座８の内側周縁部と、電子膨張弁ニードル部７の各テーバー角部との位置関係によって定まり、室外制御部６が、電子膨張弁ニードル部７を軸方向に動作させることによって、冷媒の流量が調整される。
【００２１】
（空気調和機の冷暖房動作）
次に、本実施の形態に係る空気調和機の冷暖房動作について説明する。冷房運転時、室外制御部６は、まず、四方弁２を冷房運転に対応した流路に切り替える。圧縮機１によって圧縮された高温高圧のガス冷媒は、四方弁２を経由して、室外熱交換器３に流入する。室外熱交換器３に流入したガス冷媒は、外気との熱交換が実施されて凝縮し、高圧の液冷媒となって流出し、電子膨張弁４ａ〜４ｄに分配され流入する。電子膨張弁４ａ〜４ｄに流入した液冷媒は、膨張されて減圧し、低圧の二相冷媒となって流出し、室内機１０ａ〜１０ｄにおける室内熱交換器５ａ〜５ｄに流入する。室内熱交換器５ａ〜５ｄに流入した二相冷媒は、室内空気との熱交換が実施されて蒸発し、低圧のガス冷媒となって流出する。このとき、送風ファン（図示せず）によって、冷媒と熱交換が実施されて冷却された空気が冷風として室内に送風される。室内熱交換器５ａ〜５ｄを流出したガス冷媒は、四方弁２を経由して、圧縮機１に流入し、再び、圧縮される。
【００２２】
また、暖房運転時、室外制御部６は、まず、四方弁２を暖房運転に対応した流路に切り替える。圧縮機１によって圧縮された高温高圧のガス冷媒は、四方弁２を経由して、室内機１０ａ〜１０ｄにおける室内熱交換器５ａ〜５ｄに分配され流入する。室内熱交換器５ａ〜５ｄに流入したガス冷媒は、室内空気との熱交換が実施されて凝縮し、高圧の液冷媒となって流出し、電子膨張弁４ａ〜４ｄに流入する。このとき、送風ファン（図示せず）によって、冷媒と熱交換が実施されて加熱された空気が温風として室内に送風される。電子膨張弁４ａ〜４ｄに流入した液冷媒は、膨張されて減圧し、低圧の二相冷媒となって流出し、室外熱交換器３に流入する。室外熱交換器３に流入した二相冷媒は、外気との熱交換が実施されて蒸発し、低圧のガス冷媒となって流出する。室外熱交換器３を流出したガス冷媒は、四方弁２を経由して、圧縮機１に流入し、再び、圧縮される。
【００２３】
（電子膨張弁４ａ〜４ｄの流量調整動作）
図３は、本発明の実施の形態１に係る電子膨張弁４ａ〜４ｄに対する操作量（パルス）とその操作量によって定まる開度における流量比との関係を示すグラフである。
上記のような本実施の形態に係る空気調和機の動作において、冷房運転及び暖房運転共に、各室内熱交換器５ａ〜５ｄへの冷媒流量の分配は電子膨張弁４ａ〜４ｄにおける電子膨張弁ニードル部７の動作によって実施されている。各室内機１０ａ〜１０ｄにおける室内制御部（図示せず）は、自分の能力クラスがどのくらいであるかの情報を、室外制御部６に送信し、それを受信した室外制御部６は、各室内機１０ａ〜１０ｄがどの能力クラスに属するものかを判定する。このとき、電子膨張弁４ａ〜４ｄの電子膨張弁ニードル部７において、ニードル最小テーパー角部７ａは小能力（例えば、１．５ｋＷ＜容量≦４．０ｋＷ）の室内機用に、ニードル中間テーパー角部７ｂは中能力（例えば、４．０ｋＷ＜容量≦６．０ｋＷ）の室内機用に、そして、ニードル最大テーパー角部７ｃは大能力（例えば、６．０ｋＷ＜容量≦８．０ｋＷ）の室内機用に対応している。
【００２４】
室外制御部６は、小能力の室内機に対しては、対応する電子膨張弁のニードル最小テーパー角部７ａと、弁座８の内側周縁部とによって流路９が定まるように、その電子膨張弁に対して操作量（パルス）を送信して電子膨張弁ニードル部７を軸方向で移動させる。また、室外制御部６は、中能力の室内機に対しては、対応する電子膨張弁のニードル中間テーパー角部７ｂと、弁座８の内側周縁部とによって流路９が定まるように、その電子膨張弁に対して操作量（パルス）を送信して電子膨張弁ニードル部７を軸方向で移動させる。そして、室外制御部６は、大能力の室内機に対しては、対応する電子膨張弁のニードル最大テーパー角部７ｃと、弁座８の内側周縁部とによって流路９が定まるように、その電子膨張弁に対して操作量（パルス）を送信して電子膨張弁ニードル部７を軸方向で移動させる。
【００２５】
小能力の室内機に対しては、０＜パルス≦ｘ１の電子膨張弁に対する操作量の範囲によって、電子膨張弁のニードル最小テーパー角部７ａと、弁座８の内側周縁部とによって流路９が定まり、図３で示されるような傾きによって操作量の増加に伴って流量比が増加する。
また、中能力の室内機に対しては、ｘ１＜パルス≦ｘ２の電子膨張弁に対する操作量の範囲によって、電子膨張弁のニードル中間テーパー角部７ｂと、弁座８の内側周縁部とによって流路が定まり、図３で示されるような傾きによって、操作量の増加に伴って流量比が増加する。このとき、その操作量に対する流量比の変化の割合は、小能力の室内機の場合よりも大きい。
そして、大能力の室内機に対しては、ｘ２＜パルス≦ｘ３の電子膨張弁に対する操作量の範囲によって、電子膨張弁のニードル最大テーパー角部７ｃと、弁座８の内側周縁部とによって流路が定まり、図３で示されるような傾きによって、操作量の増加に伴って流量比が増加する。このとき、その操作量に対する流量比の変化の割合は、小能力及び中能力の室内機の場合よりも大きい。
【００２６】
なお、各室内機１０ａ〜１０ｄにおける室内制御部（図示せず）は、自分の能力クラスがどのくらいであるかの情報を、室外制御部６に送信し、それを受信した室外制御部６は、各室内機１０ａ〜１０ｄがどの能力クラスに属するものかを判定するものとしたが、この場合、室外制御部６は、判定した能力クラスを代表する操作量（パルス）（例えば、小能力における操作量の範囲は、０＜パルス≦ｘ１なので、その中間値であるｘ１／２の操作量）を、その室内機１０ａ〜１０ｄに対応する電子膨張弁に対して送信するものとすればよい。
あるいは、室内制御部は、自分の能力クラスがどのくらいであるかの情報として、電子膨張弁に対する操作量情報を直接、室外制御部６に送信するものとしてもよく、この場合、室外制御部６は、受信した操作量をそのまま電子膨張弁に送信するものとしてもよい。これによって、結果的に、いずれのテーパー角部によって流路９が形成されるかが定まり、能力クラスも決定される。
さらに、室内制御部は、自分の能力クラスがどのくらいであるかの情報として、その能力クラスに応じた冷媒の流量情報を、室外制御部６に送信するものとしてよい。この場合、室外制御部６は、受信した流量情報に基づいて、図３で示されるグラフに基づいて、必要とする操作量（パルス）に変換して、電子膨張弁に送信するものとしてもよい。これによって、結果的に、いずれのテーパー角部によって流路９が形成されるかが定まり、能力クラスも決定される。
【００２７】
（実施の形態１の効果）
以上の構成及び動作によって、室内機における室内制御部から送信された能力クラスに関する情報に応じて、室外制御部６は、その室内機に対応する電子膨張弁の開度、すなわち、流量を制御することによって、その室内機の能力に対応した冷媒流量に調整することができるので、室内機は適正な能力を発揮でき、かつ、効率の良い冷暖房運転が実現できる。また、上記のような電子膨張弁を使用することによって、非常に幅広い容量帯の室内機（本実施の形態においては１．５ｋＷ〜８．０ｋＷ）に対応することができる。
【００２８】
なお、図１で示される空気調和機の冷媒回路においては、４台の室内機１０ａ〜１０ｄが備えられた構成となっているが、これに限定されるものではなく、１台又はその他の台数の室内機が備えられ、その台数と同数の電子膨張弁が備えられる構成としてもよい。このとき、室内機が複数台備えられる場合、それぞれの室内機の能力に対応させるために、構成及び仕様が異なる電子膨張弁を備える必要がなく、本実施の形態に係る電子膨張弁を共通して利用することができる。
【００２９】
また、図３で示されるように、室内機の能力クラスとして、小能力用、中能力用、そして、大能力用というように３つの区分としているが、これに限定されるものではなく、その他の数の区分としてもよい。この場合、その区分の数に応じて、電子膨張弁の電子膨張弁ニードル部７におけるテーパー角部を、その区分と同数分だけそれぞれのテーパー角が異なるように形成するものとすればよい。これによって、より多くの幅広い室内機の能力クラスに適用できると共に、よりきめ細かい制御を実現することができる。
【００３０】
また、本実施の形態に係る電子膨張弁は、空気調和機に適用するものとしたが、これに限定されるものではなく、冷蔵庫、ヒートポンプ装置その他の冷凍サイクルを搭載した装置に適用することが可能であり、その冷凍サイクルの能力に対応した冷媒流量に調整することができる。
【００３１】
実施の形態２．
実施の形態１においては、室内機１０ａ〜１０ｄの能力クラスに応じて、室外制御部６が電子膨張弁４ａ〜４ｄの電子膨張弁ニードル部７を軸方向に制御して流量を調整する動作を示したが、本実施の形態においては、室内機１０ａ〜１０ｄに対応する能力クラス以外の能力クラスにおける流量で動作させる必要がある場合の動作について説明する。
【００３２】
本実施の形態に係る空気調和機について、実施の形態１に係る空気調和機の動作と相違する点を中心に説明する。なお、本実施の形態に係る空気調和機及び電子膨張弁４ａ〜４ｄの構成は、実施の形態１の構成と同様である。
【００３３】
（対応する能力クラス以外の能力クラスにおける流量によって動作させる場合について）
実施の形態１において説明したように、通常の空気調和機の状態であれば、各室内機１０ａ〜１０ｄの能力クラスにあわせて電子膨張弁４ａ〜４ｄの流量を制御することが可能であるが、運転状態によっては、能力クラスの範囲外での使用が必要となる場合がある。
【００３４】
まず、小能力の室内機を中能力用に、そして、中能力の室内機を大能力用の流量によって動作させる場合のように、上位の能力クラスの流量によって動作させる場合について説明する。このような状況は、例えば、想定外の過負荷条件が発生し、急激に冷媒流量が増加した場合等が考えられる。この場合、室内機の室内制御部が、必要とする冷媒流量を得るために、現在の能力クラスにおける操作量と流量比との関係式である後述する式（１）〜式（３）に基づいて算出した操作量（パルス）を室外制御部６に送信し、室外制御部６が、その操作量（パルス）によって、電子膨張弁の開度を制御した場合、その操作量（パルス）が上位の能力クラスに属するとき、あまりに急激な流量変化となり、冷凍サイクルが非常に不安定となってしまう。そこで、本実施の形態に係る空気調和機においては、上記のように、室内制御部から受信した操作量（パルス）が、上位の能力クラスに属するとしても、室外制御部６は、現在の能力クラスにおける操作量と流量比との関係式に基づいて、流量比を算出し、その算出した流量比、及び、上位の能力クラスにおける操作量と流量比との関係式に基づいて、その上位の能力クラスにおいて同一の流量比となる操作量（パルス）に変換し、その変換した操作量（パルス）によって電子膨張弁の開度を調整する。これによって、想定外の過負荷条件が発生して、急激に冷媒循環量が増加した場合においても、冷凍サイクルが不安定になることはなく、安定して流量制御を実施することができる。
【００３５】
次に、大能力の室内機を中能力用に、そして、中能力の室内機を小能力用の流量によって動作させる場合のように、下位の能力クラスの流量によって動作させる場合について説明する。このような状況は、例えば、室内機のフィルターが目詰まりした場合、又は、空気温度が急激に低下した場合等に、冷媒と空気との熱交換が十分に実施されず、急激に冷媒流量が低下した場合等が考えられる。この場合、室内機の室内制御部は、必要とする冷媒流量を得るために、現在の能力クラスにおける操作量と流量比との関係式である後述する式（１）〜式（３）に基づいて算出した操作量（パルス）を室外制御部６に送信し、室外制御部６が、その操作量（パルス）によって、電子膨張弁の開度を制御した場合、その操作量（パルス）が下位の能力クラスに属するとき、所望する冷媒の流量が得られなくなってしまう。そこで、本実施の形態に係る空気調和機においては、上記のように、室内制御部から受信した操作量（パルス）が、下位の能力クラスに属するとしても、室外制御部６は、現在の能力クラスにおける操作量と流量比との関係式に基づいて、流量比を算出し、その算出した流量比、及び、下位の能力クラスにおける操作量と流量比との関係式に基づいて、その下位の能力クラスにおいて同一の流量比となる操作量（パルス）に変換し、その変換した操作量（パルス）によって電子膨張弁の開度を調整する。これによって、室内機のフィルターが目詰まりした場合、又は、空気温度が急激に低下した場合等においても、所望の冷媒の流量を得ることができ、冷凍サイクルを安定して制御することができる。
【００３６】
図４は、本発明の実施の形態２に係る空気調和機の電子膨張弁４ａ〜４ｄに対する操作量（パルス）によって流量を変化させる動作のフローチャートの具体例を示すものであり、図５は、同空気調和機の電子膨張弁４ａ〜４ｄに対する操作量（パルス）とその操作量によって定まる開度における流量比との関係を示すグラフと共に、要求パルスを他のパルスに変換する動作を示す図である。
【００３７】
図５で示されるように、小能力、中能力及び大能力の室内機用に対応した操作量と流量比とのグラフを示す式が、それぞれ以下の式（１）〜式（３）によって表されるものとする。
【００３８】
ｙ＝ａ１・ｘ＋ｂ１（小能力）                                            （１）
ｙ＝ａ２・ｘ＋ｂ２（中能力）                                            （２）
ｙ＝ａ３・ｘ＋ｂ３（大能力）                                            （３）
【００３９】
以下、図４及び図５を参照しながら、設置されている室内機１０ａ〜１０ｄのうちの１台に着目し、その室内機が中能力の能力クラスに属するものとし、その室内機に対応する電子膨張弁の開度を調整して異なる流量に調整する動作について説明する。
【００４０】
（Ｓ１）
室外制御部６は、室内機の室内制御部から、その室内機がどの能力クラスに属するかの情報を受信し、その情報に基づいて、中能力の能力クラスであると判定したものとする。
【００４１】
（Ｓ２）
室外制御部６は、電子膨張弁４ａ〜４ｄのうち、その室内機に対応する電子膨張弁に対して、ｘ１＜パルス≦ｘ２に属する操作量（パルス）を送信することによって開度を変更して、冷媒流量を調整する。
【００４２】
（Ｓ３）
室内機の室内制御部は、想定外の過負荷条件が発生した場合、又は、室内機のフィルターが目詰まりした場合、若しくは、空気温度が急激に低下した場合等に、急激に冷媒流量が変化したとき、式（２）に基づいて、その冷媒流量に対応した操作量（パルス）を要求パルスＡ１として算出し、室外制御部６に送信する。
【００４３】
（Ｓ４）
室外制御部６は、室内制御部から受信した要求パルスＡ１が、ｘ１＜パルス≦ｘ２に属するか否か判定する。その判定の結果、要求パルスＡ１がｘ１＜パルス≦ｘ２に属する場合、ステップＳ５へ進む。一方、要求パルスＡ１がｘ１＜パルス≦ｘ２に属さない場合、ステップＳ６へ進む。
【００４４】
（Ｓ５）
室外制御部６は、電子膨張弁に対して、要求パルスＡ１を送信することによって開度を変更し、冷媒流量を調整する。
【００４５】
（Ｓ６）
室外制御部６は、室内制御部から受信した要求パルスＡ１が、０＜パルス≦ｘ１に属するか否かを判定する。その判定の結果、要求パルスＡ１が０＜パルス≦ｘ１に属する場合、ステップＳ７へ進む。一方、要求パルスＡ１が０＜パルス≦ｘ１に属さない場合、ステップＳ１０へ進む。
【００４６】
（Ｓ７）
室外制御部６は、要求パルスＡ１及び式（２）に基く下記の式（４）に基づいて、必要冷媒流量を算出する。
【００４７】
ｙ＝ａ２・Ａ１＋ｂ２                                                    （４）
【００４８】
（Ｓ８）
室外制御部６は、算出した必要冷媒流量、及び、小能力に対応する式（１）に基づく下記の式（５）に基づいて、小能力の操作量範囲である０＜パルス≦ｘ１に属する出力パルスＢ１を算出する。
【００４９】
Ｂ１＝（ａ２・Ａ１＋ｂ２−ｂ１）／ａ１                                  （５）
【００５０】
（Ｓ９）
室外制御部６は、電子膨張弁に対して、算出した出力パルスＢ１を送信することによって開度を変更し、冷媒流量を低下させる。
【００５１】
（Ｓ１０）
室外制御部６は、室内制御部から受信した要求パルスＡ１が、ｘ２＜パルス≦ｘ３に属するか否かを判定する。その判定の結果、要求パルスＡ１がｘ２＜パルス≦ｘ３に属する場合、ステップＳ１１へ進む。一方、要求パルスＡ１がｘ２＜パルス≦ｘ３に属さない場合、ステップＳ３へ戻る。
【００５２】
（Ｓ１１）
室外制御部６は、要求パルスＡ１及び式（２）に基く上記の式（４）に基づいて、必要冷媒流量を算出する。
【００５３】
（Ｓ１２）
室外制御部６は、算出した必要冷媒流量、及び、大能力に対応する式（３）に基づく下記の式（６）に基づいて、大能力の操作量範囲であるｘ２＜パルス≦ｘ３に属する出力パルスＢ２を算出する。
【００５４】
Ｂ２＝（ａ２・Ａ１＋ｂ２−ｂ３）／ａ３                                  （６）
【００５５】
（Ｓ１３）
室外制御部６は、電子膨張弁に対して、算出した出力パルスＢ２を送信することによって開度を変更し、冷媒流量を増加させる。
【００５６】
なお、上記の式（１）〜式（３）で示される各能力クラスにおける操作量と流量比との関係式は、本発明の「冷媒流量特性」に相当し、出力パルスＢ１及びＢ２は、本発明の「出力操作量」に相当する。
【００５７】
（実施の形態２の効果）
以上の動作のように、通常の能力クラスから他の能力クラスに属する冷媒流量に調整する場合、室外制御部６は、一旦、要求パルスから、通常の能力クラスにおける操作量と流量比との関係式に基づいて必要冷媒流量を算出し、その必要冷媒流量、及び、要求パルスが属する他の能力クラスにおける操作量と流量比との関係式に基づいて、その能力クラスにおいて同量の冷媒流量を流通させることができる出力パルスに変換して、その出力パルスに基づいて電子膨張弁による冷媒流量を調整することによって、冷凍サイクルを不安定にすることなく、安定した流量制御を実施することができる。
【符号の説明】
【００５８】
１  圧縮機、２  四方弁、３  室外熱交換器、４ａ〜４ｄ  電子膨張弁、５ａ〜５ｄ  室内熱交換器、６  室外制御部、７  電子膨張弁ニードル部、７ａ  ニードル最小テーパー角（θ３）部、７ｂ  ニードル中間テーパー角（θ２）部、７ｃ  ニードル最大テーパー角（θ１）部、８  弁座、９  流路、１０ａ〜１０ｄ  室内機。
【図１】
0005984747.tif 000002
【図２】
0005984747.tif 000003
【図３】
0005984747.tif 000004
【図４】
0005984747.tif 000005
【図５】
0005984747.tif 000006